(57)【特許請求の範囲】
【請求項１】
自動車の燃料タンク、燃料キャップ、給油口蓋において、給油口蓋が給油口の下端を軸として上から開く時、開いた給油口蓋の板状の広い平面が地面とほぼ平行になるまで動き止る場合、開いた給油口蓋の裏面に取り付けられていて、燃料キャップが十分に入るだけの窪みを持った燃料キャップ置きを有する皿式の燃料キャップ置きであって、前記燃料キャップ置きは給油口蓋裏面の平面とほぼ平行な回転軸を軸として０度から１８０度の間の角度で回転し、当該燃料キャップ置きが最終的に開いた状態で止まるのは皿の窪み部分が上空方向を向き、皿の窪んだ底の裏である膨らんだ面が地面方向を向いた時、または底が平面をなす場合ではその突き出た部分の底平面が地面とほぼ平行になった時であり、前記燃料キャップ置きが給油口蓋裏面から開かれた状態では、皿型の窪みまたは凹み部分に燃料キャップを固定することなく自由に置ける様式をしていることを特徴とする皿式の開閉式燃料キャップ置き。
【請求項２】
自動車の燃料タンク、燃料キャップ、給油口蓋において、給油口蓋が給油口の下端を軸として上から開く時、開いた給油口蓋の板状の広い平面が地面とほぼ平行になるまで動き止る場合、開いた給油口蓋の裏面に固定されて取り付けられている、燃料キャップが十分に入るだけの窪みを持った燃料キャップ置きを有する皿式の燃料キャップ置きであって、前記給油口蓋は給油口蓋の下端を軸として自由に回転できるが、給油口蓋裏面、または給油口蓋表面がほぼ地面と平行になった時にそこで止まる構造になっており、前記燃料キャップ置きは、給油口蓋が開かれ、給油口蓋裏面が上空方向を向くと、その裏面に固定されて取り付けられているその皿の窪み、または凹みが上空方向を向き現れ、その窪み部分に燃料キャップを固定することなく自由に置ける様式をしていることを特徴とする皿式の燃料キャップ置き。
【発明の詳細な説明】
【技術分野】
【０００１】  この発明は、燃料タンクの蓋である燃料キャップを燃料タンクから外した時に置いておく、給油口蓋の裏に設けられた開閉式または固定式置き皿に関するものである。
【背景技術】
【０００２】  自動車において、燃料を入れておく燃料タンクは給油する際に給油口が必要である。【０００３】  燃料タンクの給油口は通常、走行時には燃料キャップで閉じられており、燃料の給油の際に燃料キャップを取り外して、燃料キャップが塞いでいた給油口から燃料を補給する。【０００４】  従来、運転手、もしくは第三者が燃料を給油する際には、燃料タンクから外した燃料キャップは、車のボデーに置いておくか、給油場に設けられたキャップ置きに置いておくことが殆んどだったので、給油が終わっても燃料キャップを閉め忘れることがあった。
そこで考えられるのが、燃料キャップを給油作業者の目の届くところに置いておき、給油後に燃料キャップの閉め忘れを無くす方法の開発である。
【特許文献１】特開平９−２２１１６６号公報
【０００５】  この発明は給油する際には毎回、燃料キャップ乗せ板を服のポケットや車の収納から出さなければならず、作業者の手間を要する欠点がある。
【特許文献２】特開２００５−１０４２８４号公報
【０００６】  この発明は、給油口蓋にハンガーをかけそこに給油キャップをつけるので、キャップの閉め忘れが起こらないと述べているが、給油口蓋のハンガーにそのまま燃料キャップをはめるので、作業者の不注意により燃料キャップで燃料タンクの燃料給油口を塞がずに給油口蓋を閉じてしまい、燃料キャップ、燃料タンク、給油口蓋を傷つけてしまう可能性がある。また、繰り返し金属製ハンガーに比較的軟らかい燃料キャップを着脱することで、燃料キャップの着脱部摩耗が起こり、燃料に摩耗粉が混入する可能性もある。
【発明の開示】
【発明が解決しようとする課題】
【０００７】  今までは、燃料キャップの置き場所は給油場に設けられた置き場か車のボデーの上であった。それにより、燃料タンクから燃料キャップを外してから燃料キャップを置くまでに作業者の手間を要したり、燃料キャップの閉め忘れがあったりした。本発明は、その作業者の手間を省き、燃料キャップの閉め忘れを無くす給油口蓋の裏に取り付けられた開閉式燃料キャップ置きを開発することにある。または、給油口蓋の下端を軸として上から給油口を開く時、給油口蓋裏面に固定して取り付けられた、燃料キャップが十分に入るだけの窪みを持った燃料キャップ置きを開発することにある。
【課題を解決するための手段】
【０００８】  この発明は、給油口蓋の裏に開閉式、または固定式の燃料キャップ置きを取り付けることで給油作業者の作業の簡易化を図るとともに、燃料キャップを外した際に必ずもう一度、忘れずに燃料キャップを燃料タンクの燃料給油口にはめる為の給油口蓋の裏に取り付けられた開閉式または固定式の燃料キャップ置きを開発することにある。
今発明は、その役割をなす為、給油口蓋の裏に取り付けられている、開閉式または固定式燃料キャップ置きを提案する。従来、給油口蓋は横開きであるか、または、蓋自体が無く燃料キャップが外界にさらされているものしかなかった。
しかし今回、その給油口蓋を給油口蓋の下端を軸として上から開ける形状のものを考えた。この場合、給油口蓋は上から開く為、１８０度開くと自然と車体に給油口蓋表面が当たり開きが止まる。ここでは、その回転を限定する。つまり給油口蓋はその給油口蓋裏面、または給油口蓋表面が地面とほぼ平行になる位置で止まるようにする。こうすると、給油口蓋裏面は燃料キャップを置くだけの十分な皿になり得るが、この給油口裏面に皿状の燃料キャップ置きをあえて取り付けることで、給油口蓋裏面が燃料で汚れることが無くなる。
今回の発明では、その燃料キャップ置きについて、開閉式と固定式の２種類を提案している。
【発明の効果】
【０００９】  この発明により、燃料キャップは給油口蓋の裏面に取り付けられている燃料キャップが充分に入る窪みのある燃料キャップ置きの上に置いておくので、燃料キャップを閉め忘れたまま給油口蓋を閉じることが不可能になることにより燃料キャップの閉め忘れを防げる。燃料キャップ置きが給油口蓋から開いた状態での燃料キャップ置きの窪み、または凹み部分は上方を向いているようにする。
または、給油口蓋が下端を軸として上から下に開くようにすると、給油口蓋の裏面に取り付けられた開閉式燃料キャップ置きは、給油口蓋が自動車の側面に対してほぼ直角に開いた時、燃料キャップ置きは約１８０度までの範囲で開いて給油口蓋裏面と同一平面になるようにする。この時も、燃料キャップ置きが開いた状態での燃料キャップ置きの窪みは上方を向いている、又は燃料キャップ置きの底が平面状の場合はその底平面が地面とおおよそ平行であるようにする。そうすることで、前述のものと同じ効果が得られる。
もしくは、給油口蓋が下端を軸として上から下に開く場合、給油口蓋の裏面に固定して取り付けられた窪みを持った皿式燃料キャップ置きを設けることで、燃料キャップが常に視界内にあるので閉め忘れが無くなり、給油作業の簡略化が図れる。また燃料キャップ置きは目立つ色にするなどにより更に効果が得られる。
【発明を実施するための最良の形態】
【００１０】  それにより、この発明では自動車の燃料タンク、燃料キャップ、給油口蓋に関して、給油口蓋の裏面に開閉式または固定式の燃料キャップ置きを付けることで、燃料キャップを燃料タンクから外して直ぐに視界から外れない所にキャップを置くことができ、またその開閉式または固定式燃料キャップ置きの構造から燃料キャップを燃料タンクの燃料給油口に忘れることなく取り付けることが可能になるとともに、作業の効率化も図れる。本発明ではそれを意図して、開閉式または固定式の燃料キャップ置きを開発した。
また、開閉式燃料キャップ置きの場合、その燃料キャップ置きを開いた状態では、その皿式の窪みは上方を向いている状態で止まり、その窪み、または凹み部分に固定することなく自由に燃料キャップを置いておけるものとする。固定式燃料キャップ置きの場合も、給油口蓋裏面が地面とほぼ平行になった状態で止まり、その燃料キャップ置きの窪み、または凹み部分に燃料キャップを固定することなく自由に置いておけるものとする。
【実施例】
【００１１】  今回の発明の一実施例を図面で説明する。自動車の燃料タンク、燃料キャップ、給油口蓋において、図１〜図６までの図を挙げる。図１〜図５までは給油口周辺を図にしたものである。【００１２】  図１は給油口蓋（８）を（ｄ）のように給油口蓋の下端部分を軸として上から開く場合の図である。図中にある上、下は、上が車のルーフ（屋根）方向、下が地面方向である。（１）は給油口で、（２）は燃料キャップである。ここで給油口蓋（８）が開いた状態では車側面に対しておおよそ直角で、地面の面に対して給油口蓋（８）の裏面又は表面が平行になるまで回転し止まるようにする。燃料キャップ置きが閉じられた時には、給油口蓋（８）の裏面に燃料キャップ置き（９）が、燃料キャップ（２）を置く凹み部分（１１）が給油口蓋（８）の裏面にくるように設置する。
図２のように燃料キャップ置き（９）を開く時、回転軸（１０）を軸として（ｅ）のように回転して開いた時、燃料キャップ置き（９）は回転軸（１０）を軸としておおよそ１８０度回転し、地面の面に対して燃料キャップ置き（９）の窪みが上方に向くように、または燃料キャップ置きの底が平面になっている場合はその平面と地面がほぼ平行になるまで回転する。この場合も、燃料キャップ置きは皿式で底があるものとする。【００１３】  図３と図４は給油口を正面から見た図である。給油口が車体側面にある場合、この側面に対してほぼ直角になるように給油口蓋（８）が開き、燃料キャップ置き（９）は回転軸（１０）を軸として回転する。その回転は最大で１８０度までである。図４の（ｆ）のように回転し、燃料キャップ置き（９）を開いた状態では、燃料キャップ（２）を置く凹み部分（１２）が上面にくる。または、燃料キャップ置きの底が平面になっている場合、その平面は地面とほぼ平行になる位置で止まる。【００１４】  図５は給油口蓋（１３）が給油口の下端を軸として上から開く（ｇ）場合で、燃料キャップ置き（１４）が固定型のものである。給油口蓋（１３）を給油口の下端を軸として（ｇ）のように上から開いて、給油口蓋の裏面又は表面が地面とほぼ平行になる場所で止まった時、燃料キャップ置き（１４）の燃料キャップ（２）を置く凹み（１５）は上方または車のルーフ方向になるように設置する。この場合も、燃料キャップ置きは皿式であり、底があるとする。【００１５】  図６は、燃料キャップ置きの一例の図面である。この底あり皿式燃料キャップ置きは、図１〜図６のタイプに用いる。しかし、図５の皿では固定するので、固定さえできる皿式のものであれば、複雑な構造はいらない。
【産業上の利用可能性】
【００１６】今回、発明した燃料キャップ置き構造は、燃料給油時における作業者の作業の簡易化を図れるとともに、燃料キャップの閉め忘れにおける自動車部品の損傷や事故を防げる点で、産業上の利用が可能である。
【図面の簡単な説明】
【００１７】
【図１】今回の発明の一実施例で、給油口蓋が給油口蓋の下端を軸として上から開く場合の開閉式底有り燃料キャップ置きの構造を示した図である。
【図２】今回の発明の一実施例で、給油口蓋に取り付けられている開閉式底有り燃料キャップ置きを開いた状態の図である。
【図３】給油口付近を正面から見た図で、給油口蓋に対して燃料キャップ置きがどのように取り付けられているかを示す図である。
【図４】給油口付近を正面から見た図で、燃料キャップ置きを開いた状態の図である。
【図５】今回の発明の一実施例で、給油口付近と給油口蓋に取り付けられている固定式燃料キャップ置きの構造を示した図である。
【図６】今回の発明の一実施例で、底有り燃料キャップ置きの一例を示した図である。
【符号の説明】
【００１８】１    給油口
２    燃料キャップ
５    燃料キャップ置きのキャップを置く凹み
ｄ    給油口蓋下部を軸として開く給油口蓋構造と給油口蓋の回転方法
８    給油口蓋
９    開閉式底有り燃料キャップ置き
１０  開閉式燃料キャップ置き回転軸
ｅ    給油口蓋下部を軸として開く給油口蓋構造と燃料キャップ置きの回転方法
１１  開閉式底有り燃料キャップ置きのキャップを置く凹み
ｆ    給油口蓋下部を軸として開く給油口蓋構造と開いた状態の開閉式底有り燃料キャップ置きの理想回転後静止状態
１２  開閉式底有り燃料キャップ置きの凹み部
ｇ    給油口蓋下部を軸として給油口蓋が開く場合の固定式燃料キャップ置きの給油口開き回転方法
１３  給油口蓋
１４  固定式燃料キャップ置き
１５  固定式燃料キャップ置きの凹み部
【要約】      （修正有）【課題】自動車の燃料給油時に、作業者が燃料タンクの燃料キャップを外し燃料を給油する際、外した燃料キャップを給油場にある給油キャップ置きに置くことで、給油後に作業者が燃料キャップを閉め忘れをすることがある。また、給油場にある燃料キャップ置きにわざわざ置かなければならない不便性もある。これらの問題点を解決する為に、給油口蓋に設置された開閉式、または不動型の燃料キャップ置きを開発する。【解決手段】自動車給油口（１）の燃料タンク、燃料キャップ（２）、給油口蓋（３）に関して、給油口蓋（３）を開いた給油口蓋裏面に開閉式の燃料キャップ置き（４）を設置する。燃料給油時に、作業者は（ａ）のように給油口蓋（３）に設置されている燃料キャップ置きを回転軸（６）を軸に開くことで、簡単に燃料キャップ置きの凹み部（７）に燃料キャップ（２）を置けるようにする。これにより作業者の作業の簡易化ができる。【選択図】図２【図１】
0004189607.tif 000002
【図２】
0004189607.tif 000003
【図３】
0004189607.tif 000004
【図４】
0004189607.tif 000005
【図５】
0004189607.tif 000006
【図６】
0004189607.tif 000007